(57)【要約】【課題】フィルムを圧板に確実に吸着してフィルム平面性を向上する一方で、電池の消費電力の削減を図ったフィルム平面保持構造を提供する。【解決手段】フィルムＦの背面に当接されてフィルムを平面状態に保持させるための圧板３１と、圧板３１の背後に区画形成されたエアー室３２と、エアー室３２のエアーを外部に排出してフィルムＦを圧板３１に吸着させるための複数の吸気孔３３と、フィルムの移送方向に沿うエアー室３２の両側位置にそれぞれ配置されて圧板３１との間にフィルムＦを押圧保持する一対の押さえ手段１１１，１２１を備える。エアー室３２のエアーを排出してフィルムＦを前記圧板３１に吸着するとともに、フィルムを押さえ手段１１１，１２１によって圧板３１に押圧保持し、フィルムの平面性を高める。【選択図】  図１１
2004258275.tif 000002
【特許請求の範囲】
【請求項１】
ロール状をしたフィルムの露光が行われる領域の背面に沿って配置され、当該フィルムの背面に当接されてフィルムを平面状態に保持させるための圧板と、前記圧板の背後に区画形成されたエアー室と、前記エアー室のエアーを外部に排出可能なエアー排出手段と、前記圧板に配設され、前記エアー室に連通されて前記フィルムを前記圧板に吸着させる複数の吸気孔と、前記フィルムの長さ方向の前記エアー室の両側位置にそれぞれ配置されて前記圧板との間に前記フィルムを押圧保持する一対の押さえ手段と、前記一対の押さえ手段及び前記エアー排出手段を所要のシーケンスで動作制御する制御手段とを備え、前記制御手段は、少なくとも前記フィルムに対して露光を行う前に前記エアー排出手段を駆動して前記フィルムを前記圧板に吸着するとともに、前記フィルムを前記押さえ手段によって前記圧板に保持させる動作を行なわせるように構成されていることを特徴とするカメラのフィルム平面保持構造。
【請求項２】
前記制御手段は、前記フィルムの送り側に配置されたフィルム送り側押さえ手段でフィルムを圧板との間に押圧保持した後、前記エアー排出手段を駆動してフィルムを圧板に吸着し、しかる後フィルムの巻き上げ側に配置されたフィルム巻き上げ側押さえ手段でフィルムを圧板との間に押圧保持するシーケンスを備えることを特徴とする請求項１に記載のカメラのフィルム平面保持構造。
【請求項３】
前記制御手段は、フィルム送り側の押さえ手段でフィルムを押圧保持した後、前記フィルムに対して巻き上げる方向の張力を加えた後、前記エアー排出手段でのエアー排気を行うように構成されていることを特徴とする請求項２に記載のカメラのフィルム平面保持構造。
【請求項４】
前記制御手段は、フィルム巻き上げ側押さえ手段でフィルムを圧板との間に押圧保持した後に、前記エアー排出手段の動作を停止することを特徴とする請求項２または３に記載のカメラのフィルム平面保持構造。
【請求項５】
前記各押さえ手段は、前記圧板に対して押圧される位置と前記圧板から離反される位置との間で移動可能とされ、それぞれの位置に対応して設けられたソレノイドへの通電によって前記各位置のいずれかに移動設定されることを特徴とする請求項１ないし４のいずれかに記載のカメラのフィルム平面保持構造。
【請求項６】
前記各押さえ手段は各移動位置において自己保持されるように構成され、前記制御手段は前記各押さえ手段を移動させるときにのみ前記ソレノイドに通電を行うように構成されていることを特徴とする請求項５に記載のカメラのフィルム平面保持構造。
【請求項７】
前記エアー排出手段はモータファンで構成されていることを特徴とする請求項１ないし６のいずれかに記載のカメラのフィルム平面保持構造。
【請求項８】
前記エアー排出手段は正逆転可能なモータファンで構成され、フィルムを吸着する際には前記エアー室のエアーを外部に排気する方向に回転駆動され、フィルムを移送する際には外部のエアーを前記エアー室に供給する前記と反対方向に回転可能に構成されていることを特徴とする請求項１ないし７のいずれかに記載のカメラのフィルム平面保持構造。
【発明の詳細な説明】
【０００１】
【発明の属する技術分野】
本発明はカーリングし易いフィルムを用いるカメラにおいて、当該フィルムの平面性を向上させるためのフィルム平面保持構造に関するものである。
【０００２】
【従来の技術】
３５ミリフィルムやブローニフィルム等のロールフィルムは巻き癖によってフィルムの平面性を確保することが難しく、フィルムに対して撮影を行ったときに当該巻き癖やカーリングによって撮影画像に歪やピンボケが生じてしまう。このようなフィルムの巻き癖やカーリング（以下、これらを総称してカーリングと称する）を解消してフィルムの平面性を確保するための技術として、従来から真空吸引を利用したフィルム平面保持技術が提案されている。
【０００３】
例えば、特許文献１では、フィルム吸引機構として、フィルムの露光領域の背後に沿って平坦に加工された圧板を配置し、この圧板の背後に流入空間を形成するとともに、当該圧板に流入空間に通じる吸気孔を開口する。また、この流入空間に吸入弁を介して連通される調圧室をゴム枠材を用いて形成し、モータの回転によって偏心軸を中心に回転体を回転させ、この回転体によってゴム枠材を押圧して調圧室の体積を変化させる吸引ポンプを構成している。この吸引ポンプの動作によって調圧室の体積が増加したときには調圧室に連通して設けられた排出弁を通してエアーを外部に排出し、体積が減少したときには吸入弁を通してエアーを調圧室に流入させることで、流入空間のエアー圧を低減させ、吸気孔によりフィルムを圧板に吸引して密着状態とし、フィルムの平面性を向上している。
【０００４】
また、特許文献２では、カメラのアパーチャに臨んで配設しているフィルムガイドレールに対して圧板を可動な構造し、この圧板を電磁マグネットによりフィルムガイドレールに押圧することでフィルムをフィルムガイドレールに圧着し、フィルムの平面性の保持を向上している。
【０００５】
【特許文献１】特開２００１−１８３７２９号公報
【特許文献２】特許第３２１５７３５号明細書
【０００６】
【発明が解決しようとする課題】
このように特許文献１の技術はフィルムの平面性を向上する上で有効であるが、本発明者がさらなる研究を行ったところ、次のような改善すべき点が見いだされた。それは、特許文献１の技術では吸引動作が間欠駆動であるため、カーリングによるフィルムと圧板との隙間が大きい場合には、フィルムに対して吸引力が有効に機能しなくなり、フィルムを圧板に吸引できないことがある。十分な吸引力を得るために高速駆動するとゴム枠部の耐久性が問題となる。また、特許文献１の技術では、流入空間のエアー圧が時間の経過と共に減圧されて行くため、フィルム吸引動作の初期においてフィルムの一部にカーリングした部分が存在していると、フィルムがカーリングした状態のまま全ての吸気孔がフィルムによって塞がれて圧板に対して密着されてしまい、フィルムの可撓性及び剛性によってフィルムが平面方向に伸びながら圧板に密着しようとする性質（以下、この性質を自己整合性と称する）を期待することができなくなり、フィルムの平面性が逆に悪化してしまうことがある。
【０００７】
また、フィルムが吸着された後も同じ条件でポンプを継続して動作させると、電池の消耗が顕著になる。この場合、適宜なセンサを設ける等してフィルムの吸着を検出し、フィルムの吸着を検出したときにポンプの動作を停止させることが考えられるが、これではフィルムが吸着されない場合には永久的にポンプが駆動してしまうことになり、フィルムの平面性を改善する効果が得られないという反面、電池の消費電力がいたずらに大きくなり、電池寿命が短くなるという問題が生じることになる。
【０００８】
また、特許文献２では、単にフィルムをフィルムガイドレールと圧板との間に挟持するのみであるため、フィルムガイドレールに接している領域の平面性は改善されるが、フィルムガイドレールに接していない露光領域の平面性を確保することが難しく、特許文献１の構成に比較して平面性が劣ることは避けられない。また、特許文献１及び特許文献２のいずれも、フィルムの平面性を保持するためには、ポンプや電磁マグネットを継続して駆動状態にしておく必要があり、電池消耗が著しいものになる。
【０００９】
本発明の目的は、フィルムの圧板への吸着を確実なものにしてフィルム平面性を向上し、その一方で電池の消費電力の削減を図ったフィルム平面保持構造を提供するものである。
【００１０】
【課題を解決するための手段】
本発明は、ロール状をしたフィルムの露光が行われる領域の背面に沿って配置され、当該フィルムの背面に当接されてフィルムを平面状態に保持させるための圧板と、圧板の背後に区画形成されたエアー室と、エアー室のエアーを外部に排出可能なエアー排出手段と、エアー室に連通されてフィルムを圧板に吸着させる複数の吸気孔と、フィルムの移送方向のエアー室の両側位置にそれぞれ配置されて圧板との間にフィルムを押圧保持する一対の押さえ手段と、一対の押さえ手段及びエアー排出手段を所要のシーケンスで動作制御する制御手段とを備えており、制御手段は、少なくともフィルムに対して露光を行う前にエアー排出手段を駆動してフィルムを前記圧板に吸着するとともに、フィルムを押さえ手段によって圧板に保持させる動作を行なわせるように構成されていることを特徴とする。
【００１１】
本発明において、制御手段は、フィルムの送り側に配置されたフィルム送り側押さえ手段でフィルムを圧板との間に押圧保持した後、エアー排出手段を駆動してフィルムを圧板に吸着し、しかる後フィルムの巻き上げ側に配置されたフィルム巻き上げ側押さえ手段でフィルムを圧板との間に押圧保持するシーケンスを備える。また、制御手段は、フィルム送り側の押さえ手段でフィルムを押圧保持した後、フィルムに対して巻き上げる方向の張力を加えた後、エアー排出手段でのエアー排気を行うように構成されることが好ましい。さらに、制御手段は、フィルム巻き上げ側押さえ手段でフィルムを圧板との間に押圧保持した後に、エアー排出手段の動作を停止することが好ましい。
【００１２】
本発明によれば、一対の押さえ手段でフィルムを圧板に押圧保持した状態でエアー室のエアーを排気してフィルムを圧板に吸着保持するため、フィルムのカーリングを無くした状態でフィルムを吸着することが可能になり、フィルムの平面保持効果を高めることが可能になる。また、一方の押さえ手段でフィルムを押圧した後に、フィルムに対して張力を加えることで、フィルムのカーリングを確実に無くすことが可能になる。さらに、フィルムを押さえ手段で押圧保持した後はエアー排出手段の動作を停止することで、フィルムの平面性を保持する一方で消費電力を低減することが可能になる。
【００１３】
【発明の実施の形態】
次に、本発明の実施形態を図面を参照して説明する。図１は本発明を３５ミリフィルム（１３５フィルム）を用いる一眼レフカメラに適用した実施形態の裏蓋を開いた状態の外観斜視図である。カメラボディ１は前面に撮影レンズ２が着脱可能に装着され、上面にはファインダ部１１、ＬＣＤ表示部１２、レリーズボタン１３、その他の各種スイッチ１４等が配設されている。また、カメラボディ１の左右方向の一側部にはカメラボディ１の背面に対して開閉可能な裏蓋３が図外のヒンジにより連結されている。前記カメラボディ１の背面には、左右の両端部にパトローネ室１０１とスプール室１０２が設けられており、このパトローネ室１０１とスプール室１０２の間にはフィルムに対して露光を行うためのアパーチャ１０３が配設されるとともに、このアパーチャ１０３の上下には３５ミリフィルムの幅寸法よりも若干大きい上下間隔を有してそれぞれ左右方向に延びる一対のガイドレール１０４が微小寸法で突出形成されている。
【００１４】
ここで、前記ガイドレール１０４は前記３５ミリフィルムＦの厚みよりも若干大きい寸法で突出されており、後述するように前記裏蓋を閉じたときに圧板の前面が当接され、カメラボディ１の背面と圧板との間に３５ミリフィルムが移送される微小間隙のトンネルを形成するようになっている。そして、前記パトローネ室１０１に装填されるパトローネＰ（図５参照）から引き出された３５ミリフィルムＦはガイドレール１０４によって幅方向（上下方向）が拘束されながら移送され、アパーチャ１０３に対向する位置で露光が行われ、さらにガイドローラ１０６で案内されながらスプール室１０２に内装されているスプール１０５に巻き上げられるようになっている。
【００１５】
一方、前記裏蓋３はヒンジを支点にして前記カメラボディ１の背面を開閉可能とされており、閉じたときには前記カメラボディ１の背面を遮光状態に覆うとともに、前記カメラボディ１の他側部に設けられた図外のロック機構によってカメラボディ１にロックされる。また、前記裏蓋３の内面の前記アパーチャ１０３に対応する領域には前面が平坦に加工された台状の圧板３１が一体的に設けられている。この圧板３１は前述のように前記ガイドレール１０４の先端面に当接されて３５ミリフィルムを移送させるための微小間隙のトンネルを形成するとともに、３５ミリフィルムＦに対して露光を行う際には当該３５ミリフィルムＦの背面に密接してフィルムの平面性を保持するようになっている。
【００１６】
また、前記圧板３１に対向する前記カメラボディ１には、前記圧板３１のフィルム移送方向の両側にそれぞれ対応して押さえローラ１１１，１２１が配設されている。ここではフィルムを送るパトローネ室１０１側の押さえローラ１１１を送り側押さえローラと称し、フィルムを巻き上げるスプール室１０２側の押さえローラ１２１を巻き上げ側押さえローラと称する。これらの押さえローラ１１１，１２１は後述するように前記フィルムＦを圧板３１の表面に押圧し、また押圧した状態で軸転することでフィルムＦの微小な移動を可能にし、フィルムＦに対して張力を加えることができるようになっている。前記各押さえローラ１１１，１２１は、図２に概略構成の斜視図を示すように、フィルムＦの幅寸法よりも長い細円柱状に形成されたローラ１１２，１２２と、これらローラ１１２，１２２をそれぞれ上下両端において軸転可能に支持する細長いコ字状をした支持枠１１３，１２３とを有しており、この支持枠１１３，１２３のほぼ上下中間位置にはカメラボディ１の前方に向けて突出された磁性体からなる駆動ロッド１１４，１２４が一体的に形成されている。前記各ローラ１１２，１２２はカメラボディ１の背面の前記アパーチャ１０３の両側に凹設された収納溝１１５，１２５内に収納可能とされ、また前記駆動ロッド１１４，１２４は前記収納溝１１５，１２５の前側内底面に設けられたソレノイド筒１１６，１２６に内挿され、このソレノイド筒１１６，１２６の筒軸方向、すなわちカメラボディ１の前後方向に慴動可能とされている。
【００１７】
図３に前記押さえローラ１１２における縦断面図を併せて示すように、前記駆動ロッド１１４の長さ方向の一部にはロッド径寸法を増大した係合突起１１４ａが一体に形成される一方、前記ソレノイド筒１１６の内周面には筒軸方向に所要の間隔をおいてカメラボディ１の背面側に固定係合溝１１６ａが、前面側に解除係合溝１１６ｂがそれぞれ円環状の凹溝として形成されており、前記駆動ロッド１１４が軸方向に慴動したときに前記係合突起１１４ａが固定係合溝１１６ａと解除固定溝１１６ｂのいずれか一方に係合されるようになっている。また、前記ソレノイド筒１１６の外周には、前記一対の係合溝１１６ａ，１１６ｂにそれぞれ対応してカメラボディの背面側の位置に固定ソレノイド１１７ａが、またカメラボディの前面側の位置に解除ソレノイド１１７ｂがそれぞれ配設されている。
【００１８】
この構成の押さえローラ１１１によれば、図３（ａ）に示すように、固定ソレノイド１１７ａに通電を行って励磁すると、駆動ロッド１１４は固定ソレノイド１１７ａに吸引されるため、駆動ロッド１１４に支持されているローラ１１２が収納溝１１５から突出され、圧板３１の表面に押圧されるようになる。このとき、駆動ロッド１１４の係合突起１１４ａが固定係合溝１１６ａに係合されるため、その後に固定ソレノイド１１７ａへの通電を解除しても押さえローラ１１１のその状態は保持される。また、逆に図３（ｂ）に示すように、解除ソレノイド１１７ｂに通電を行って励磁すると、駆動ロッド１１４は解除ソレノイド１１７ｂに吸引されるため、押さえローラ１１１が収納溝１１５内に収納され、圧板３１の表面から待避されて、圧板３１に対する押圧が解除されるようになる。このとき、駆動ロッド１１４の係合突起１１４ａが解除係合溝１１６ｂに係合されるため、その後に解除ソレノイドへ１１７ｂの通電を解除しても押さえローラ１１１のその状態は保持される。なお、押さえローラ１２１についても同様であるが、図２及び図３には押さえローラ１２１のソレノイド筒１２６に設けられた係合、固定の各係合溝については図示されていない。
【００１９】
前記裏蓋３の詳細を説明する。図４は前記裏蓋３を背面側から見たときの内部構成を透視的に見た概略図、図５は裏蓋を閉じた状態のカメラのほぼ中央高さ位置の概略断面図である。これらの図に示すように、前記裏蓋３には前記のように圧板３１が一体に形成されており、この圧板３１の背後で、かつ少なくとも前記アパーチャ１０３の寸法よりも大きな領域の裏蓋３の内部には、カメラの前後方向には小さい寸法をした矩形のエアー室３２が形成されている。そして、前記圧板３１の前面の少なくとも前記アパーチャ１０３に対向する領域には前記エアー室３２に連通される複数の微小径の吸気孔３３が点在配置されている。また、前記エアー室３２に隣接して前記パトローネ室１０１に対応する領域の裏蓋３の内部にはエアー室３２よりも外形寸法が小さくされたエアー通路３４がエアー室３２と連通状態に形成されている。このエアー通路３４には裏蓋３の背面に開口されたエアー排出口３５が配設されており、このエアー排出口３５にはモータを回転駆動源とするエアー排出手段としてのエアーファン（以下、モータファンと称する）３６が取り付けられ、モータファン３６の回転によってエアー通路３４を通して前記エアー室３２のエアーをエアー排出口３５から外部に強制排気できるようになっている。一方、モータファン３６は逆回転されたときにはカメラ外部のエアーをエアー排出口３５からエアー通路３４を通してエアー室３２に供給することが可能である。
【００２０】
前記エアー室３２とエアー通路３４との境界には、図６に一部を破断して示すように、矩形の枠３７１内に横断面が「く」字型をした複数のルーバ３７２を微小間隔で配列した遮光ルーバ３７が配設されており、エアー室３２とエアー通路３４との間のエアーの通流を可能にする一方で、エアー通路３４側から進入されてきた光がエアー室３２に漏れ込むことが無いようになっている。また、前記エアー排出口３５にはエアーを通流することが可能な一方で塵埃がエアー通路３４及びエアー室３２に侵入することを防止する防塵フィルタ３８が設けられている。
【００２１】
前記モータファン３６は、図７に示すように、矩形をしたケーシング３６１内に図には表れないモータ及び当該モータによって回転される送風羽根３６２が内装されたものであり、例えばコンピュータ等の冷却用ファンとして用いられる超小型のモータファンを利用することが可能である。また、前記モータファン３６には当該モータファン３６の回転速度を検出するためのインタラプタ３９が付設されている。このインタラプタ３９は、モータファン３６の回転軸３６３と一体に設けられ、円周一部に透孔３９２が開口された回転板３９１と、この回転板３９１を板厚方向に挟むように発光素子と受光素子を配置し、発光素子で発光された光を前記透光を通して受光素子で受光したときに電気信号を出力する光検出素子３９３とで構成されており、この光検出素子３９３から出力される電気信号のパルス周波数が回転軸３６３の回転速度に対応して変化することを利用してモータファン３６の回転速度の検出を行うものである。
【００２２】
このように、この実施形態のカメラでは、エアー排出手段としてのモータファン３６をカメラボディ１のアパーチャ１０３の背後に配置形成したエアー室３２には内装配置していないので、エアー室３２のカメラ前後方向（撮影レンズ２の光軸と平行方向）の寸法がモータファン３６によって増大されることはない。同時に、モータファン３６をパトローネ室１０１の背後に設けたカメラ前後方向の寸法が小さいエアー通路３４のエアー排出口３５に臨む位置に設けたことで、この領域におけるカメラ前後方向の寸法の増大も回避できる。この結果、カメラ全体の前後方向の寸法を抑制でき、小型カメラ、例えば、３５ミリフィルム用のカメラへの適用が可能になる。
【００２３】
図８は前記モータファン３６を含む前記カメラの電気回路構成、特にここでは本発明に関連する部分の回路構成を示すブロック図である。ＣＰＵ４０１には、メインスイッチ（電源スイッチ）４１１、レリーズボタン１３の半押し、全押で動作する測光スイッチ４１２及びレリーズスイッチ４１３、連写撮影を行う際にオンされる連写スイッチ４１４が接続される。また、測光回路４２１、測距回路４２２からの測光データ、測距データが入力されるとともに、前記レリーズボタン１３の押下操作に伴って、フィルム巻き上げ回路４３１、シャッタ回路４３２、絞り回路４３３、ＡＦ（自動焦点）回路４３４を制御して、巻き上げモータ４４１を駆動してフィルムの巻き上げ等のフィルム移送や、シャッタ装置４４２、絞り装置４４３、ＡＦ装置４４４を駆動してフィルムに対する露光を行うようになっている。さらに、ファン回路部４５０として、パルス幅に対応してモータファン３６に印加する電圧を制御するドライバＩＣ４５１により前記モータファン３６を駆動し、その一方でモータファン３６の回転速度を検出する前記インタラプタ３９の出力をＦ／Ｖ（周波数／電圧）変換器４５２によって電圧に変換し、変換した電圧をＡ／Ｄ（アナログ／デジタル）変換器４５３によってデジタル変換されたデータを取り込むようになっている。
【００２４】
また、前記一対の押さえローラ１１１，１２１の各ソレノイドに対する通電制御を行うための押さえローラ制御部４６０が設けられている。図９はこの押さえローラ制御部４６０の詳細回路図であり、各押さえローラ１１１，１２１にはそれぞれ図２に示したように固定ソレノイド１１７ａ，１２７ａと解除ソレノイド１１７ｂ，１２７ｂが設けられており、各ソレノイドにはスイッチング素子としてトランジスタＴｒ１〜Ｔｒ４が接続されており、対応するトランジスタＴｒ１〜Ｔｒ４のベースに接続された抵抗Ｒ１〜Ｒ４にＣＰＵ４０１から所要の電圧を印加することで、当該トランジスタＴｒ１〜Ｔｒ４をオン状態とし、対応するソレノイド１１７ａ，１１７ｂ，１２７ａ．１２７ｂへの通電を行うことが可能にされている。なお、後述するように、ＣＰＵ４０１は各トランジスタＴｒ１〜Ｔｒ４に対して電圧を印加してオン状態とし、対応するソレノイドを励磁した後は、当該電圧の印加を停止して電池の消耗を抑制するようになっている。
【００２５】
図１０は前記カメラの撮影動作を説明するためのフローチャートであり、カメラの撮影動作に必要とされる一連の動作のうち、撮影時におけるフィルムの平面性を保持する動作についてのみ示している。また、図１１は当該フローの一部工程におけるフィルムＦの状態を示す模式断面図である。ここでは、図１１（ａ）に示すように、既にフィルム巻き上げ回路４３１及びフィルム巻き上げモータ４４１によってフィルムの巻き上げに伴うフィルム先頭出しが行われており、あるいは前回の撮影後にフィルムの次に撮影する領域がアパーチャ１０３に対応する領域にまで巻き上げられているものとする。レリーズボタン１３が半押しされて測光スイッチ４１２がオンされると（Ｓ１０１）、連写スイッチ４１４の状態から連写撮影であるか否かが判定される（Ｓ１０２）。連写でない場合には、フィルム平面保持フローが行われる。
【００２６】
すなわち、ＣＰＵ４０１から送り側押さえローラ１１１の固定ソレノイド１１７ａに通電を行い、その後直ちに通電を停止する（Ｓ１０３）。この通電は固定ソレノイド１１７ａに接続されているトランジスタＴｒ１のベース抵抗Ｒ１に電圧を供給し、当該トランジスタＴｒ１をオンして固定ソレノイド１１７ａを励磁した後に、当該電圧の供給を停止するものであり、以下同様である。この固定ソレノイド１１７ａへの通電により、図３（ａ）に示したように、送り側押さえローラ１１１の駆動ロッド１１４はカメラボディ１の背面側に移動され、係合突起１１４ａが固定係合溝１１６ａに係合し、その後通電を停止してもその状態が保持される。この駆動ロッド１１４の移動により、図１１（ｂ）に示すように、送り側押さえローラ１１１はローラ１１２が収納溝１１５から突出されて圧板３１に向けて押圧され、これによりフィルムＦを圧板３１に対して押圧し、フィルムＦを固定状態とする。
【００２７】
次いで、ＣＰＵ４０１はスプール１０５を極短時間だけフィルムの巻き上げ方向に駆動させる制御を行う（Ｓ１０４）。これにより、フィルムＦはスプール１０５に巻き上げられようとするが、フィルムＦは送り側押さえローラ１１１によって圧板３１との間に挟持されて固定された状態にあるため、図１１（ｃ）に示すように、この固定された箇所とスプール１０５との間でフィルムＦは引張された状態となる。
【００２８】
しかる後、ＣＰＵ４０１から予め設定された電圧パワーＰ１に対応するＰＷＭ（パルス幅変調）デューティ比のＰＷＭ信号がドライバＩＣ４５１に入力され、ドライバＩＣ４５１はこれを受けて当該ＰＷＭ信号のデューティ比に対応する電圧をモータファン３６に供給する。これにより、モータファン３６は正転方向に回転が開始され、徐々に回転数（単位時間当たりの回転数、以下同様）が増大されてＰＷＭ信号により設定された回転数に達する。これにより、エアー室３２のエアーは遮光ルーバ３７、エアー通路３４、防塵フィルタ３８を通してエアー排出口３５から外部に排出され、エアー室３２のエアー圧は徐々に減圧されて行く。したがって、エアー室３２のエアー圧の減圧に伴って、エアー室３２に開口されている吸気孔３３がフィルムの吸引動作を行うようになり、アパーチャ１０３位置にあるフィルムＦは吸気孔３３によって吸引されて圧板３１に吸着される（Ｓ１０５）。
【００２９】
そして、フィルムＦが圧板３１に適正に吸着されると、フィルムは平面性が確保されようになる。しかる後、ＣＰＵ４０１から巻き上げ側押さえローラ１２１の固定ソレノイド１２７ａに通電を行い、その後直ちに通電を停止する（Ｓ１０６）。この固定ソレノイド１２７ａへの通電により、図１１（ｄ）に示すように、巻き上げ側押さえローラ１２１の駆動ロッド１２４はカメラボディ１の背面側に移動され、図には表れない係合突起が背面側係合溝に係合し、その後通電を停止してもその状態が保持される。この駆動ロッド１２４の移動により巻き上げ側押さえローラ１２１のローラ１２２は収納溝１２５から突出されて圧板に押圧される状態となり、これによりフィルムＦを圧板３１に対して押圧し、フィルムＦを固定状態とする。すなわち、フィルムＦは圧板３１に対して送り側と巻き上げ側の両押さえローラ１１１，１２１によって圧板３１に固定されることになり、フィルムの平面性が確実なものとされる。
【００３０】
しかる後、モータファン３６の回転を停止する。モータファン３６の回転を停止して吸気孔３３によるフィルムの吸着を解除しても、フィルムＦは送り側押さえローラ１１１と巻き上げ側押さえローラ１２１によって平面性は確保されており、モータファン３６を停止することで電池の消耗を抑制することができる。
【００３１】
以上のフィルム平面保持フローが終了すると、レリーズスイッチ４１３がオンされるか否かを判定し（Ｓ１０８）、オンされないときには、再度測光スイッチ４１２を確認し（Ｓ１０９）、測光スイッチ４１２がオンのときにはレリーズスッチ４１３がオンされるのを待機する。ここで、測光スイッチ４１２がオフされているときにもそのまま待機を継続してもよいが、ここでは一旦フィルムを自由状態に復帰させるフィルム押圧解除フローを行っている。ここでは、ＣＰＵから巻き上げ側押さえローラ１２１の解除ソレノイド１２７ｂに通電を行い、その後直ちに通電を停止する（Ｓ１１０）。この解除ソレノイド１２７ｂへの通電により、巻き上げ側押さえローラ１２１の駆動ロッド１２４はカメラボディ１の前面側に移動されて係合突起１２４ａが図には表れない解除係合溝に係合し、その後通電を停止してもその状態が保持される。この駆動ロッド１２４の移動により巻き上げ側押さえローラ１２１のローラ１２２は圧板３１から離間されることになり、フィルムＦを圧板３１に押圧している状態が解除され、フィルムは自由な状態となる。続いて、ＣＰＵ４０１から送り側押さえローラ１１１の解除ソレノイド１１７ｂに通電を行い、その後直ちに通電を停止する（Ｓ１１１）。この解除ソレノイド１１７ｂへの通電により、送り側押さえローラ１１１の駆動ロッド１１４はカメラボディ１の前面側に移動されて係合突起１１４ａが解除係合溝１１６ｂ（図３参照）に係合し、その後通電を停止してもその状態が保持される。この駆動ロッド１１４の移動により送り側押さえローラ１１１のローラ１１２は圧板３１から離間されることになり、フィルムＦを圧板に押圧している状態が解除され、フィルムは自由な状態となる。これにより、フィルムＦは両押さえローラ１１１，１２１によって押圧される状態が完全に解除され、フィルムの巻き上げや巻き戻しが可能な状態となる。
【００３２】
また、ステップＳ１０８においてレリーズボタン１３が全押しされてレリーズスイッチ４１３がオンされたときには、レリーズシーケンスを実行する（Ｓ１１２）。すなわち、レリーズシーケンスの詳細な説明は省略するが、ＣＰＵ４０１は測光回路４２１、測距回路４２２からの測定データに基づいて、シャッタ回路４３２、絞り回路４３３、ＡＦ回路４３４を制御し、シャッタ装置４４２、絞り装置４４３、ＡＦ装置４４４を駆動してフィルムに対する撮影を実行する。
【００３３】
なお、エアー排出口３５からエアー通路３４内に外部光が侵入しても、遮光ルーバ３７によってエアー室３２にまで侵入することが遮光されるため、外部光がエアー室３２から吸気孔３３を通してフィルムＦに露光されることは防止される。また、塵埃は防塵フィルタ３８によって遮断されるため、塵埃がエアー通路３４及びエアー室３２に侵入されることはなく、さらに吸気孔３３を通してカメラ内部にまで侵入されることはない。
【００３４】
露光が完了されると、フィルム押圧解除フローを行う。このフィルム押圧解除フローは、ステップＳ１１０，Ｓ１１１と同様であるが、ここでは先に送り側押さえローラ１１１によるフィルムの押圧を解除し（Ｓ１１３）、次いで巻き上げ側押さえローラ１２１によるフィルムの押圧を解除している（Ｓ１１４）。これにより、送り側押さえローラ１１１と巻き上げ側押さえローラ１２１によるフィルムＦの固定状態が解消され、フィルムＦは巻き上げ、巻き戻しが可能な状態となる。なお、両押さえローラ１１１，１２１のフィルムの押圧を解除する順序はこの逆であってもよい。
【００３５】
次いで、連写であるか否かを判定し（Ｓ１１５）、連写でない場合にはフィルムフローティングフローを実行する。すなわち、ＣＰＵ４０１からドライバＩＣ４５１に予め設定されている逆極性のＰＷＭ信号を入力し、モータファン３６をそれまでとは逆の方向に逆転駆動する（Ｓ１１６）。これにより、外部のエアーはエアー排出口３５、エアー通路３４を通してエアー室３２に供給され、エアー室３２のエアー圧を大気圧以上にまで高める。このエアー室３２の圧力上昇によりエアー室３２内のエアーを吸気孔３３から吐出し、圧板３１の表面に接していたフィルムＦをエアーの吐出圧によって圧板３１の表面から離す。しかる後、ＣＰＵ４０１はフィルム巻き上げ回路４３１を制御し、巻き上げモータ４４１によりフィルムを１駒分巻き上げる（Ｓ１１７）。このとき、フィルムＦは圧板３１から離されているため、フィルムの巻き上げにおけるフィルムの移送に伴う負荷を軽減し、高速の巻き上げが可能になる。フィルムの移送が終了した後は、モータファン３６の駆動を停止し（Ｓ１１８）、フローを終了する。なお、ステップＳ１１６において連写の場合には、フィルムフローティングフローを行うことなくフィルム巻き上げステップＳ１１９を実行する。
【００３６】
ここで、前記実施形態では、送り側とフィルム巻き上げ側の各押さえローラを長さ方向の中間部の一か所において支持しているが、上下端部の２箇所において支持しそれぞれ対をなすソレノイドにより駆動させるようにしてもよい。このようにすれば、ソレノイドの数が増えることにより構造が若干複雑になるが、フィルムの幅方向に対してフィルムを圧板に強固に押圧保持させることが可能になる。また、押さえローラはローラ状である必要はなく、フィルムを幅方向にわたって均一に押圧可能であればロッド状あるいは細長い部材で構成してもよい。ただし、この場合にはフィルムの乳剤面にダメージを与えないようにフィルムの押圧面には弾性材等を設けるようにすることが好ましい。
【００３７】
【発明の効果】
以上説明したように本発明は、フィルムの移送方向に沿うエアー室の両側位置にフィルムを圧板に押圧保持する一対の押さえ手段と、これら一対の押さえ手段及びエアー室を排気するためのエアー排出手段を所要のシーケンスで動作制御する制御手段とを備えており、フィルムに対して露光を行う前にエアー排出手段を駆動してフィルムを圧板に吸着するとともに、フィルムを押さえ手段によって圧板に保持させる動作を行なわせるように構成しているので、フィルムのカーリングを無くした状態でフィルムを吸着することが可能になり、フィルムの平面保持効果を高めることが可能になる。また、一方の押さえ手段でフィルムを押圧した後に、フィルムに対して張力を加えることで、フィルムのカーリングを確実に無くすことが可能になる。さらに、フィルムを押さえ手段で押圧保持した後はエアー排出手段の動作を停止することで、フィルムの平面性を保持する一方で消費電力を低減することが可能になる。
【図面の簡単な説明】
【図１】本発明が適用されたカメラの概略構成を示す斜視図である。
【図２】カメラボディの背面部の拡大部分分解斜視図である。
【図３】送り側押さえローラにおける縦断面図である。
【図４】裏蓋の透視的な斜視図である。
【図５】図１のカメラの概略構成の水平断面図である。
【図６】遮光ルーバの一部破断斜視図である。
【図７】モータファンの斜視図である。
【図８】カメラの主要部の電気回路構成を示す回路図である。
【図９】押さえローラ制御部の回路構成を示す回路図である。
【図１０】本発明におけるフィルム平面保持動作のフローチャートである。
【図１１】フィルム平面保持動作を示す水平断面図である。
【符号の説明】
１  カメラボディ
２  撮影レンズ
３  裏蓋
３１  圧板
３２  エアー室
３３  吸気孔
３６  モータファン
１０１  パトローネ室
１０２  スプール室
１０３  アパーチャ
１０５  スプール
１１１  送り側押さえローラ
１２１  巻き上げ側押さえローラ
１１４，１２４  駆動ロッド
１１６，１２６  ソレノイド筒
１１７ａ，１２７ａ  固定ソレノイド
１１７ｂ，１２７ｂ  解除ソレノイド
Ｆ  フィルム
Ｐ  パトローネ
【図１】
2004258275.tif 000003
【図２】
2004258275.tif 000004
【図３】
2004258275.tif 000005
【図４】
2004258275.tif 000006
【図５】
2004258275.tif 000007
【図６】
2004258275.tif 000008
【図７】
2004258275.tif 000009
【図８】
2004258275.tif 000010
【図９】
2004258275.tif 000011
【図１０】
2004258275.tif 000012
【図１１】
2004258275.tif 000013